(57)【要約】【課題】本発明は、徘徊監視対象者を収容するベッドから監視対象者が離れると、ベッド上または近傍にて徘徊警報音を発生させるとともに、徘徊移動中の患者にもたせた報知体から警報音を出すことにより、周囲にいる人に容易に気付かせることのできる徘徊報知装置を提供することを課題とする。【解決手段】徘徊者が携帯できる第１報知体と、前記第１報知体を引き離し可能に固定できる第２報知体とを具備し、前記第１報知体および前記第２報知体には、それぞれ、相互が離隔したことを検知して作動する離隔検知手段と、離隔検知手段の出力で動作する警報手段とを設けたことを特徴とする。【選択図】図３
2008059175.tif 000002
【特許請求の範囲】
【請求項１】
徘徊者が携帯できる第１報知体と、前記第１報知体を引き離し可能に固定できる第２報知体とを具備し、前記第１報知体および前記第２報知体には、それぞれ、相互が離隔したことを検知して作動する離隔検知手段と、離隔検知手段の出力で動作する警報手段とを設けたことを特徴とする徘徊者報知装置。
【発明の詳細な説明】
【技術分野】
【０００１】
本発明は徘徊者報知装置に係り、特に、徘徊癖のある患者さんが徘徊中であることを周囲に報知できる徘徊者報知装置に関する。
【背景技術】
【０００２】
特許文献１には、徘徊者が携帯し電波を送信する発信機（１）と、監視者側に設置され前記電波を受信し前記徘徊者が所定エリア内に居るか否かを判断する受信機（２）とで構成され、発信機に徘徊者が監視者を呼出すために使用する呼び笛を内蔵した徘徊者監視装置が記載されている。
【０００３】
この徘徊者監視装置によれば、徘徊者が所定エリア内に居るか否かを判断できる受信機を備えているので、徘徊者が所定エリア外に出れば、受信機から警報を出し、管理者に知らせることができる。
また、徘徊者が管理者を呼び出したいときは、呼び笛を吹くこともできる。
【０００４】
【特許文献１】・・・・特開２００１−１９５６７９号公報
【発明の開示】
【発明が解決しようとする課題】
【０００５】
特許文献１記載の徘徊者監視装置によれば、徘徊者が所定エリア外に出たことを受信機で検知することができるが、徘徊者自身の周囲にいる人はこれに気付くことができないという問題がある。
【０００６】
なお、当該徘徊者監視装置によれば、発信機に呼び笛を内蔵しているので、徘徊者自身が呼び笛を吹いて周囲の人の注意を喚起することができるが、徘徊者自身がそのことに気付かない、あるいは意思がなければ、呼び笛を吹くことにはならない。
【課題を解決するための手段】
【０００７】
本発明は、上記問題を解決するために、徘徊者が携帯できる第１報知体と、前記第１報知体を引き離し可能に固定できる第２報知体とを具備し、前記第１報知体および前記第２報知体には、それぞれ、相互が離隔したことを検知して作動する離隔検知手段と、離隔検知手段の出力で動作する警報手段とを設けたことを特徴とする。
【発明の効果】
【０００８】
本発明は、上記のように構成されているので、通常は相互に連結されている第1報知体と第２報知体が何らかの外力で引き離されると、両方の報知体から警報信号（音や光）が出力され、周囲に異常状態を報知することができる。
【０００９】
今、第１報知体を何らかの方法で患者さんに被着し、これに連結された第２報知体を紐やそれ自体の重量でベッド上に載置、固定する。
【００１０】
この状態で、患者さんが起き上がってベッドから離れると、患者さんと一体の第１報知体は、やがて、第２報知体から引き離される。両報知体が互いに離されると、両者の離隔検知手段が働き、それぞれの警報手段から警報が出力される。
【００１１】
このようにして、徘徊患者さんは、自分のベッドから離れると同時に、徘徊警報を継続発報する第１報知体を身に付けたまま病室、施設内、施設外を移動することになる。
【００１２】
他方、当該患者さんが離床した後のベッド上には、第２報知体が残され、この報知体からも徘徊警報が継続出力される。
【００１３】
従って、本発明によれば、徘徊患者さんが施設内、外を移動していれば周囲の人がすぐ気付くことができ、徘徊患者さんに対する迅速な救護処置が可能になる。
【発明を実施するための最良の形態】
【００１４】
図１は、本発明の実施例を示すブロック図である。
【００１５】
図において、１は、第１報知体、２は第２報知体であり、連結手段３で相互に連結されている。連結手段としては、両報知体の突合せ面に金属板とマグネット板をそれぞれ貼り付け、磁力で吸着する方法でも良いし、プラグとジャックのように凸部と凹部を嵌合させ、弾性的に結合できる方法でも良い。
【００１６】
第１報知体１において、４は離隔検知手段であり、５は警報手段であり、第１報知体１が連結手段３の保持力に抗して第２報知体から引き離されたら、離隔検知手段４で離隔状態が検知され、警報手段５に出力される。
【００１７】
離隔検知手段４としては、突合せ面が離隔したことを検知できる光センサーによる方法や、プラグ・ジャックの抜き差しを電気的に検知する手段が考えられる。
【００１８】
警報手段５は、電子音生成手段やブザーやスピーカなどの音響生成手段を含み、警報音を発生する。警報音に同期して発光する手段を付加することもできる。
【００１９】
６は電池であり、第１報知体１の警報手段５、離隔検知手段４の駆動用電源となる。
【００２０】
第２報知体２は、第１報知体１と同様、離隔検知手段７、警報手段８、電源９を備えている。
【００２１】
電源９は電池でもよいが、電源端子１０を介して外部から供給できる電源でもよい。第１報知体１の電池６が充電タイプの場合は、この電源９から充電電流を供給できるように構成する。
【００２２】
なお、警報信号を外部に出力できる外部出力端子１１を設ければ、管理親機（図示せず）に警報信号を出力することもできる。
【００２３】
なお、隔離検知手段４、７と警報手段５、８との間に時限手段２７を設け、隔離検知手段４、７の検知信号を一定時間遅延させ、これを、警報手段５、８に出力させることもできる。
【００２４】
この時限手段２７があれば、第１報知体１と第２報知体２を短時間離隔させ、再連結した場合、警報手段５、８がみだりに起動することがない。従って、トイレ離床の問題にも適切に対応できる。
【００２５】
なお、離隔検知手段４、７の作動時間をカウントし、表示手段１２に徘徊経過時間として表示させることもできる。
【００２６】
図２は、本発明の１実施例を示す外観図である。
【００２７】
図において、１は第１報知体であり、２は第２報知体であり、全体としてペンダント形になっている。両報知体１、２は、相互の対向面において、例えば、前述したマグネットの磁力で連結固定されている。
【００２８】
１３は、第１報知体に固定された引掛具であり、弾力性のある鉤状部１３ａを患者の着衣のポケットや帯に引掛けて固定できるようになっている。
【００２９】
１４は警報音用の放音孔、１５は識別札であり、識別札１５には、施設名、患者名、連絡先の電話番号などが表記されている。
【００３０】
１６は、一端を第２報知体に固定され、他端に引掛具１７を固定した繋留コードであり、引掛具１７は、例えば、ベッドパイプに弾性的に引掛け固定できる形状にすると便利である。
【００３１】
なお、前記のように、外部電源が必要な時などは、繋留コードとして電源コードを使用し、先端部に電源コネクタを取り付ければよい。
【００３２】
この場合、繋留コード１６は結束バンドなどでベッドパイプなどに適宜固定することが望ましい。
【００３３】
図中、１８は、第２報知体に形成された放音孔である。
【００３４】
図３は、本発明の他の実施例を示す外観図である。
【００３５】
図において、１は、上端にネックストラップ１９が付いた第１報知体であり、２０は放音孔、２１は識別札、２２はジャックである。
【００３６】
２は、据置型の第２報知体であり、その下面には、重量板２３が固定されている。２４は放音孔、２５は、一端をケースに固定され、先端にプラグ２６のついた電気コードであり、プラグ２６を前記ジャック２２に弾性的に挿入することにより、機械的、電気的に接続されている。
【００３７】
今、ネックストラップ１９を首にかけたまま、患者さんがベッドから離れると、電気コード２５が伸びきったところで、電気コード２５のプラグ２６は、第１報知体のジャック２２から離脱する。
【００３８】
そうすると、第１報知体１および第２報知体２に内蔵されている、前記の離隔検知手段４、７でプラグ２６の離脱が検知される。検知信号に対応して、警報手段５、８に徘徊警報が出力される。
【図面の簡単な説明】
【００３９】
【図１】本発明の実施例を示すブロック図。
【図２】本発明の実施例を示す外観図。
【図３】本発明の他の実施例を示す外観図。
【符号の説明】
【００４０】
１    第１報知体
２    第２報知体
３    連結手段
４    離隔検知手段
５    警報手段
６    電池
７    離隔検知手段
８    警報手段
９    電源
１０    電源端子
１１    外部出力端子
１２    表示手段
１３    引掛具
１４    放音孔
１５    識別札
１６    繋留コード
１７    引掛具
１８    放音孔
１９    ネックストラップ
２０    放音孔
２１    識別札
２２    ジャック
２３    重量板
２４    放音孔
２５    電気コード
２６    プラグ
２７    時限手段
【図１】
2008059175.tif 000003
【図２】
2008059175.tif 000004
【図３】
2008059175.tif 000005